(57)【要約】  本発明に係る基地局は、セルを管理する基地局であって、前記セルと接続するユーザ端末に制御情報又はユーザデータである所定情報を第１の送信電力で送信する制御が可能な制御部を備える。前記制御部は、前記所定情報の送信に用いることが可能な無線リソースである未割当リソースの量又は割合が閾値を超えている場合、前記所定情報を前記第１の送信電力で送信する代わりに、前記第１の送信電力よりも低い第２の送信電力で、前記未割当リソースを用いて前記所定情報を冗長送信する冗長送信制御を行う。
2015060191.tif 000002
【特許請求の範囲】
【請求項１】
セルを管理する基地局であって、
前記基地局は、前記セルと接続するユーザ端末に所定情報を第１の送信電力で送信する制御が可能であって、
前記基地局は、前記所定情報の送信に用いることが可能な無線リソースであってまだ端末に割り当てられていない未割当リソースの量又は割合が閾値を超えている場合、前記第１の送信電力よりも低い第２の送信電力で、前記未割当リソースを用いて前記所定情報を冗長送信する冗長送信制御を行い、
前記所定情報は、制御情報又はユーザデータであることを特徴とする基地局。
【請求項２】
前記制御部は、前記未割当リソースの量に応じて、前記第２の送信電力の値を決定することを特徴とする請求項１に記載の基地局。
【請求項３】
前記冗長送信制御は、前記所定情報を重複して送信することか、誤り訂正符号を用いて、前記第１の送信電力で送信される前記所定情報よりも冗長度を上げた前記所定情報を送信することか、又はＭＣＳに対応付けられた値を低下させて前記所定情報を送信することであることを特徴とする請求項１に記載の基地局。
【請求項４】
前記所定情報の送信のために前記ユーザ端末に予め割り当てられた無線リソースと、前記未割当リソースのうち前記ユーザ端末に割り当てられた無線リソースとが１つのサブフレーム内に位置する場合、前記冗長送信制御として、ＭＣＳに対応付けられた値を低下させて前記所定情報を送信することを特徴とする請求項１に記載の基地局。
【請求項５】
前記冗長送信を開始する前に、前記冗長送信される前記所定情報を前記ユーザ端末が受信及び／又は復号するために用いられる冗長送信情報を、前記ユーザ端末に送信することを特徴とする請求項１に記載の基地局。
【請求項６】
前記冗長送信情報は、前記冗長送信制御の方法を示す情報及び／又は前記未割当リソースの中から前記ユーザ端末に割り当てられた無線リソースを示す情報を含むことを特徴とする請求項５に記載の基地局。
【請求項７】
前記制御部は、下りリンクのチャネル推定のための参照信号を、前記冗長送信制御を行っていない場合の送信電力よりも低い第３の送信電力で送信し、
前記制御部は、前記第３の送信電力で送信された前記参照信号に基づくチャンネル品質情報を前記ユーザ端末から受信した場合、前記チャンネル品質情報とともに、前記第３の送信電力に基づいて、前記冗長送信制御のためのＭＣＳを決定することを特徴とする請求項１に記載の基地局。
【請求項８】
前記制御部は、前記ユーザ端末を含む複数のユーザ端末が前記セルと接続する場合、前記基地局から前記複数のユーザ端末のそれぞれへの各パスロスに応じて、前記複数のユーザ端末を複数のグループに分け、
前記制御部は、前記複数のグループのそれぞれにおける前記第２の送信電力の値及び／又は前記冗長送信制御の方法を決定することを特徴とする請求項１に記載の基地局。
【請求項９】
前記制御部は、前記セルとの接続を開始するユーザ端末の数及び／又は前記基地局との通信を終了するユーザ端末の数が閾値を超えた場合に、前記第２の送信電力の値及び／又は前記冗長送信制御の方法を新たに決定することを特徴とする請求項８に記載の基地局。
【請求項１０】
セルを管理する基地局に備えられるプロセッサであって、
前記プロセッサは、前記セルと接続するユーザ端末に制御情報又はユーザデータである所定情報を第１の送信電力で送信する制御が可能であって、
前記所定情報の送信に用いることが可能な無線リソースである未割当リソースの量又は割合が閾値を超えている場合、前記第１の送信電力よりも低い第２の送信電力で、前記未割当リソースを用いて前記所定情報を冗長送信する冗長送信制御を行うことを特徴とするプロセッサ。
【請求項１１】
基地局が管理するセルに接続する端末であって、
前記基地局から送信された冗長送信情報を受信し、
当該受信した冗長送信情報に基づいて、前記基地局から冗長送信される所定情報を受信する端末。
【発明の詳細な説明】
【技術分野】
【０００１】
本発明は、移動通信システムにおいて用いられる基地局及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の消費電力を削減するエナジーセービング技術が検討されている（例えば、非特許文献１参照）。例えば、通信トラフィックの少ない夜間などにおいて、基地局のセルの運用を停止することにより、基地局の消費電力を削減できる。
【先行技術文献】
【非特許文献】
【０００３】
【非特許文献１】３ＧＰＰ技術報告書  「ＴＲ  ３６．９２７  Ｖ１１．０．０」      ２０１２年９月
【発明の概要】
【０００４】
しかしながら、基地局が管理するセルの運用を停止させることにより、基地局の消費電力を削減できるものの、当該セルと接続していたユーザ端末は、当該セルと通信不能となるため、当該ユーザ端末の通信品質が低下する虞がある。
【０００５】
そこで、本発明は、通信品質の低下を抑制しつつ、基地局の省電力化を実現可能にすることを目的とする。
【０００６】
一実施形態に係る基地局は、セルを管理する基地局であって、前記セルと接続するユーザ端末に制御情報又はユーザデータである所定情報を第１の送信電力で送信する制御が可能な制御部を備える。前記制御部は、前記所定情報の送信に用いることが可能な無線リソースである未割当リソースの量又は割合が閾値を超えている場合、前記所定情報を前記第１の送信電力で送信する代わりに、前記第１の送信電力よりも低い第２の送信電力で、前記未割当リソースを用いて前記所定情報を冗長送信する冗長送信制御を行う。
【図面の簡単な説明】
【０００７】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、実施形態に係る移動通信システムの動作概要を説明するための説明図である。
【図７】図７は、本実施形態に係るｅＮＢ２００の動作の一例を説明するための説明図である。
【図８】図８は、本実施形態の変更例１に係るｅＮＢ２００の動作の一例を説明するための説明図である。
【図９】図９は、その他実施形態に係るｅＮＢ２００の動作の一例を説明するための説明図である。
【発明を実施するための形態】
【０００８】
実施形態に係る基地局は、セルを管理する基地局であって、前記セルと接続するユーザ端末に制御情報又はユーザデータである所定情報を第１の送信電力で送信する制御が可能な制御部を備える。前記制御部は、前記所定情報の送信に用いることが可能な無線リソースである未割当リソースの量又は割合が閾値を超えている場合、前記所定情報を前記第１の送信電力で送信する代わりに、前記第１の送信電力よりも低い第２の送信電力で、前記未割当リソースを用いて前記所定情報を冗長送信する冗長送信制御を行う。
【０００９】
実施形態において、前記未割当リソースの量に応じて、前記第２の送信電力の値を決定する。
【００１０】
実施形態において、前記制御部は、前記冗長送信制御として、前記所定情報を重複して送信する制御、又は、誤り訂正符号を用いて、前記第１の送信電力で送信される前記所定情報よりも冗長度を上げた前記所定情報を送信する制御を行う。
【００１１】
その他実施形態において、前記制御部は、前記所定情報の送信のために前記ユーザ端末に予め割り当てられた無線リソースと、前記未割当リソースのうち前記ユーザ端末に割り当てられた無線リソースとが１つのサブフレーム内に位置する場合、前記冗長送信制御として、ＭＣＳに対応付けられた値を低下させて前記所定情報を送信する制御を行う。
【００１２】
実施形態において、前記制御部は、前記冗長送信を開始する前に、前記冗長送信制御によって冗長送信される前記所定情報を前記ユーザ端末が複合受信及び／又は復号するために用いられる冗長送信情報を、前記ユーザ端末に送信する制御を行う。
【００１３】
実施形態において、前記冗長送信情報は、前記冗長送信制御の方法を示す情報及び／又は前記未割当リソースの中から前記ユーザ端末に割り当てられた無線リソースを示す情報を含む。
【００１４】
実施形態において、前記制御部は、下りリンクのチャネル推定のための参照信号を、前記冗長送信制御を行っていない場合の送信電力よりも低い第３の送信電力で送信する。前記制御部は、前記第３の送信電力で送信された前記参照信号に基づくチャンネル品質情報を前記ユーザ端末から受信した場合、前記チャンネル品質情報とともに、前記第３の送信電力に基づいて、前記冗長送信制御のためのＭＣＳを決定する。
【００１５】
実施形態において、前記制御部は、前記ユーザ端末を含む複数のユーザ端末が前記セルと接続する場合、前記基地局から前記複数のユーザ端末のそれぞれへの各パスロスに応じて、前記複数のユーザ端末を複数のグループに分ける。前記制御部は、前記複数のグループのそれぞれにおける前記第２の送信電力の値及び／又は前記冗長送信制御の方法を決定する。
【００１６】
実施形態において、前記制御部は、前記セルとの接続を開始するユーザ端末の数及び／又は前記基地局との通信を終了するユーザ端末の数が閾値を超えた場合に、前記第２の送信電力の値及び／又は前記冗長送信制御の方法を新たに決定する。
【００１７】
実施形態に係るプロセッサは、セルを管理する基地局に備えられるプロセッサであって、前記セルと接続するユーザ端末に制御情報又はユーザデータである所定情報を第１の送信電力で送信する制御が可能な制御部を備える。前記制御部は、前記所定情報の送信に用いることが可能な無線リソースである未割当リソースの量又は割合が閾値を超えている場合、前記所定情報を前記第１の送信電力で送信する代わりに、前記第１の送信電力よりも低い第２の送信電力で、前記未割当リソースを用いて前記所定情報を冗長送信する冗長送信制御を実行する。
【００１８】
［実施形態］
（ＬＴＥシステム）
図１は、本実施形態に係るＬＴＥシステムの構成図である。
【００１９】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２０】
ＵＥ１００は、移動型の無線通信装置であり、接続を確立したセル（サービングセル）との無線通信を行う。ＵＥ１００はユーザ端末に相当する。
【００２１】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２２】
なお、「セル」は、無線通信エリアの最小単位を示す用語として使用される他に、ＵＥ１００との無線通信を行う機能を示す用語としても使用される。
【００２３】
ｅＮＢ２００は、例えば、無線リソース管理（ＲＲＭ）機能と、ユーザデータのルーティング機能と、モビリティ制御及びスケジューリングのための測定制御機能と、を有する。
【００２４】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００２５】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００２６】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００２７】
ＯＡＭ４００は、オペレータによって管理されるサーバ装置であり、Ｅ−ＵＴＲＡＮ１０の保守及び監視を行う。
【００２８】
次に、ＵＥ１００及びｅＮＢ２００の構成を説明する。
【００２９】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３０】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３１】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３３】
ＧＮＳＳ受信機１３０は、ＵＥ１００の地理的な位置を示す位置情報を得るために、ＧＮＳＳ信号を受信して、受信した信号をプロセッサ１６０に出力する。
【００３４】
バッテリ１４０は、ＵＥ１００の各ブロックに供給すべき電力を蓄える。
【００３５】
メモリ１５０は、プロセッサ１６０によって実行されるプログラムと、プロセッサ１６０による処理に使用される情報と、を記憶する。
【００３６】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３７】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００３８】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００３９】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４０】
メモリ２３０は、プロセッサ２４０によって実行されるプログラムと、プロセッサ２４０による処理に使用される情報と、を記憶する。
【００４１】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４２】
本実施形態において、制御部は、通常の送信電力（第１の送信電力）で所定情報をＵＥ１００に送信する制御が可能である。また、制御部は、通常の送信電力よりも低い低送信電力（第２の送信電力）で所定情報をＵＥ１００に冗長送信する冗長送信制御が可能である。
【００４３】
図４は、ＬＴＥシステムにおける無線インターフェイスのプロトコルスタック図である。
【００４４】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４５】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００４６】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００４７】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４８】
ＰＤＣＰレイヤは、ヘッダ圧縮・伸張、及び暗号化・復号化を行う。
【００４９】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５０】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５１】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５２】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５３】
ＵＥ１００に割り当てられる無線リソースのうち、周波数リソースはリソースブロックにより特定でき、時間リソースはサブフレーム（又はスロット）により特定できる。
【００５４】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５５】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００５６】
（実施形態に係る動作）
（１）動作概要
次に、本実施形態に係る移動通信システムの動作概要について、図６を用いて説明する。図６は、実施形態に係る移動通信システムの動作概要を説明するための説明図である。具体的には、図６（Ａ）は、ｅＮＢ２００が、通常の制御によって、ユーザデータを送信するケースを示す説明図である。図６（Ｂ）は、ｅＮＢ２００が、冗長送信制御によって、ユーザデータを送信するケースを示す説明図である。
【００５７】
まず、ｅＮＢ２００が、通常の制御によって、ユーザデータを送信するケースを説明する。
【００５８】
図６（Ａ）に示すように、本実施形態に係る移動通信システムは、ＵＥ１００−１、ＵＥ１００−２、ＵＥ１００−３、ｅＮＢ２００を有する。ｅＮＢ２００は、セルを管理しており、各ＵＥ１００（ＵＥ１００−１、ＵＥ１００−２及びＵＥ１００−３）は、当該セルに接続している。従って、各ＵＥ１００は、接続状態（ＲＲＣ接続状態）である。ＵＥ１００−１は、セルの中心側に位置しており、ＵＥ１００−３は、セルの端部に位置しており、ＵＥ１００−２は、ＵＥ１００−１とＵＥ１００−２との間に位置している。
【００５９】
ｅＮＢ２００は、通常の制御を行っている場合、セルと接続する各ＵＥ１００にユーザデータを送信する（図６（Ａ）参照）。
【００６０】
この場合、ｅＮＢ２００は、各ＵＥ１００に割り当てた無線リソースを用いて、通常の送信電力で、ユーザデータを送信する。本実施形態において、通常の送信電力とは、予め固定された送信電力であり、オペレータがｅＮＢ２００のセルを設計する際に定めた送信電力である。
【００６１】
次に、ｅＮＢ２００が冗長送信制御によって、ユーザデータを送信するケースを説明する。
【００６２】
ｅＮＢ２００は、冗長送信制御を行っている場合、通常の送信電力よりも低い送信電力（低送信電力）で各ＵＥ１００にユーザデータを冗長送信する（図６（Ｂ）参照）。ｅＮＢ２００は、通常の送信電力で送信する場合に割り当てる無線リソースだけでなく、余剰の無線リソース（後述の未割当リソース）も用いて、ユーザデータを冗長送信する。
【００６３】
例えば、ｅＮＢ２００は、通常の送信電力の１／３の送信電力で、各ＵＥ１００にユーザデータを送信する。その代わりに、ｅＮＢ２００は、ｅＮＢ２００から離れたＵＥ１００−２及びＵＥ１００−３に対して、余剰の無線リソースを用いてユーザデータを送信する。例えば、ｅＮＢ２００は、ＵＥ１００−２に対してユーザデータを２重送信し、ＵＥ１００−２に対してユーザデータを３重送信する。一方、ｅＮＢ２００は、ｅＮＢ２００に近いＵＥ１００−１に対して、通常の送信に用いられる無線リソースのみを用いて、ユーザデータを送信してもよい。
【００６４】
ＵＥ１００−２及びＵＥ１００−３は、ユーザデータが低送信電力で送信されている場合であっても、重複送信されたユーザデータをダイバーシティ合成することによって、ユーザデータを復号できる。
【００６５】
ｅＮＢ２００は、ダイバーシティ利得に相当する電力を低下させて、各ＵＥ１００にユーザデータを送信する。例えば、ユーザデータを２重送信する場合、３ｄBのダイバーシティ利得に相当して、１／２の送信電力で送信する。
【００６６】
なお、ｅＮＢ２００は、重複送信ではなく、余剰の無線リソースを用いて、通常の送信よりも誤り訂正能力の高いユーザデータの送信を行ってもよい。各ＵＥ１００は、ユーザデータが低送信電力で送信されている場合であっても、誤り訂正処理を行うことによって、ユーザデータを復号できる。
【００６７】
（２）動作シーケンス
次に、本実施形態に係るｅＮＢ２００の動作シーケンスについて、図７を用いて説明する。図７は、本実施形態に係るｅＮＢ２００の動作の一例を説明するための説明図である。
【００６８】
以下において、説明を簡略化するために、上述のＵＥ１００−１及びＵＥ１００−３のみがセルと接続していると仮定して説明を進める。
【００６９】
図７に示すように、ステップＳ１０１において、ｅＮＢ２００は、ユーザデータの送信に用いることが可能な無線リソースである未割当リソースの量が閾値を超えているか否かを判定する。ｅＮＢ２００は、ユーザデータを送信するために無線リソースを割り当てるスケジューリングを行った後に、上述の判定を行う。なお、ｅＮＢ２００は、セミパーシステントスケジューリングによって、半固定的に無線リソースが割り当てられている場合に、上述の判定を行ってもよい。
【００７０】
まず、ｅＮＢ２００は、ユーザデータの送信に用いることが可能な無線リソースである未割当リソースの量を算出する。未割当リソースは、所定の範囲（例えば、５ｍｓ単位）内における未割り当ての無線リソースであってもよい。
【００７１】
次に、ｅＮＢ２００は、算出した未割当リソースの量と閾値とを比較する。閾値は、固定値であってもよいし、セルと接続するＵＥ１００の数などに応じて変動する値であってもよい。
【００７２】
ｅＮＢ２００は、未割当リソースの量が閾値を超えていないと判定した場合（「ＮＯ」の場合）、ステップＳ１０１の処理を繰り返す。一方、ｅＮＢ２００は、未割当リソースの量が閾値を超えていると判定した場合（「ＹＥＳ」の場合）、ステップＳ１０２の処理を実行する。
【００７３】
なお、ｅＮＢ２００は、全体の無線リソース（割当済みリソースと未割当リソースとの合計）に対する未割当リソースの割合（未割当リソース／全無線リソース）を算出して、未割当リソースの量の代わりに、未割当リソースの割合と閾値とを比較してもよい。
【００７４】
ステップＳ１０２において、ｅＮＢ２００は、ｅＮＢ２００からＵＥ１００へのパスロスを推定する。ｅＮＢ２００は、例えば、以下の（ａ）又は（ｂ）の方法を用いてパスロスを推定する。
【００７５】
（ａ）受信電力
ｅＮＢ２００は、ｅＮＢ２００から送信される信号の送信電力とＵＥ１００が受信する当該信号の受信電力との差から、ＵＥ１００のパスロスを算出（推定）する。或いは、ＵＥ１００が送信する信号の送信電力とｅＮＢ２００が受信する当該信号の受信電力との差から、ＵＥ１００のパスロスを算出（推定）する。
【００７６】
（ｂ）位置情報
まず、ｅＮＢ２００は、ＵＥ１００の位置情報を取得する。ｅＮＢ２００は、位置情報をＵＥ１００から受信してもよいし、ネットワークへの問い合わせによって位置情報を取得してもよい。ｅＮＢ２００は、位置情報によって、ＵＥ１００の位置を特定する。
【００７７】
次に、ｅＮＢ２００は、ｅＮＢ２００の位置とＵＥ１００との位置とに基づいて、ｅＮＢ２００とＵＥ１００との間の距離を算出する。ｅＮＢ２００は、算出した距離に応じてパスロスを推定する。
【００７８】
なお、ｅＮＢ２００は、上りリンクにおける送信タイミングの調整に使用されるＵＥ１００のタイミングアドバンス（ＴＡ）から伝搬遅延時間を算出し、算出した伝搬遅延時間とＵＥ１００からの上りリンク信号の伝搬速度とによって、ｅＮＢ２００とＵＥ１００との間の距離を算出してもよい。
【００７９】
ｅＮＢ２００は、ステップＳ１０２において、各ＵＥ１００のパスロスを推定した後、ステップＳ１０３の処理を行う。
【００８０】
ステップＳ１０３において、ｅＮＢ２００は、冗長送信制御の方法を決定する。ｅＮＢ２００は、例えば、以下の（ａ）又は（ｂ）の少なくともいずれかによって冗長送信制御を行うことを決定する。
【００８１】
（ａ）重複送信による冗長送信
ｅＮＢ２００は、ユーザデータを重複して送信することによって、冗長送信を行う。例えば、ｅＮＢ２００は、ユーザデータの通常の送信に加えて、後述する重複数Ｎに応じてユーザデータを送信する。この場合、ｅＮＢ２００は、ユーザデータの送信の度に冗長バージョン（ＲＶ）を更新してもよい。また、ｅＮＢ２００は、新規データインジケータ（ＮＤＩ）を更新（反転）しないことによって、２回目以降のユーザデータの送信をユーザデータの再送として扱ってもよい。
【００８２】
また、ｅＮＢ２００は、新規のユーザデータを送信するように、１度送信したユーザデータ（レプリカデータ）を送信してもよい。
【００８３】
（ｂ）ＭＣＳの調整による冗長送信
ｅＮＢ２００は、ＭＣＳ（Ｍｏｄｕｌａｔｉｏｎ  ａｎｄ  Ｃｏｄｉｎｇ  Ｓｃｈｅｍｅ）に対応付けられた値を低下させて、変調方式及び／又は符号化率を変更させたユーザデータを送信することによって、冗長送信を行う。
【００８４】
例えば、ｅＮＢ２００は、通常の送信における変調方式が１６ＱＡＭである場合に、冗長送信における変調方式がＱＰＳＫとなるように、ＭＣＳに対応付けられた値を決定する。
【００８５】
また、ｅＮＢ２００は、ＵＥ１００から報告されたＣＱＩから求められたＥ−ＳＩＮＲ（Ｅｆｆｅｃｔｉｖｅ  ＳＩＮＲ）に補正値を加えることによって算出されたＥ−ＳＩＮＲに応じて、ＭＣＳに対応付けられた値を決定してもよい。ここで、補正値は、算出されたＥ−ＳＩＮＲが、ＣＱＩから求められたＥ−ＳＩＮＲよりも通信品質が低くなるような値（例えば、−３ｄＢ）である。
【００８６】
また、符号化率の変更する場合、ｅＮＢ２００は、誤り訂正符号を用いて、通常の送信電力で送信されるユーザデータよりも冗長度を上げたユーザデータを送信できる。具体的には、ｅＮＢ２００は、以下の方法によって、誤り訂正符号を用いて冗長送信を行うことができる。
【００８７】
第１に、ｅＮＢ２００は、ユーザデータの生データに対して、通常の送信に用いられる誤り訂正符号よりも、誤り訂正能力の高い誤り訂正符号を用いることによって、冗長送信を行う。
【００８８】
例えば、ｅＮＢ２００は、通常、符号化率が１／３のターボ符号を掛けたユーザデータを所定量の無線リソースを用いて送信していたと仮定する。ｅＮＢ２００は、冗長送信する場合には、符号化率が１／６のターボ符号を掛けたユーザデータを所定量の２倍の無線リソースを用いて送信する。
【００８９】
また、ｅＮＢ２００は、符号化率を低くすることによって、冗長送信するだけでなく、通常の送信と冗長送信とで誤り訂正符号の種類を変えることによって、冗長送信してもよい。
【００９０】
第２に、ｅＮＢ２００は、誤り訂正符号が予め掛けられたユーザデータに対して、誤り訂正符号をさらに掛けることによって、冗長送信を行う。
【００９１】
例えば、ｅＮＢ２００は、通常の送信において用いられる誤り訂正符号が掛けられたユーザデータに対して、誤り訂正符号をさらに掛けることによって、冗長送信を行う。
【００９２】
本実施形態において、ｅＮＢ２００は、重複送信による冗長送信を行うと決定したと仮定して説明を進める。
【００９３】
ステップＳ１０４において、ｅＮＢ２００は、冗長送信に用いられるリソースの量が、未割当リソースの量の範囲内に収まるように、冗長送信の対象となるＵＥ１００及び重複数Ｎを決定する。ここで、重複数Ｎは、ユーザデータを重複して送信できる数を示す。
【００９４】
ｅＮＢ２００は、セルに接続する複数のＵＥ１００（ＵＥ１００−１及びＵＥ１００−２）の各パスロスに応じて、複数のＵＥ１００を複数のグループに分ける。例えば、ｅＮＢ２００は、複数のＵＥ１００を２個のグループに分ける場合、以下の式（１）を満たすパスロスのＵＥ１００を第１のグループ（Ｇ１）に分類し、以下の式（２）を満たすパスロスのＵＥ１００を第２のグループ（Ｇ２）に分類する。
【００９５】
Ｌ  ＜  Ｌｍａｘ／Ｎ      ・・・  式（１）
Ｌ  ≧  Ｌｍａｘ／Ｎ      ・・・  式（２）
Ｌ：ＵＥ１００のパスロス／Ｌｍａｘ：最大パスロス／Ｎ：重複数
【００９６】
なお、Ｌｍａｘは、例えば、セル端に位置するＵＥ１００のパスロスに等しい。ＵＥ１００のパスロスがデシベル（ｄＢ）表記である場合、以下の式（１）’及び式（２）’により、ＵＥ１００は、２つのグループに分類される。
【００９７】
Ｌ  ＜  Ｌｍａｘ−１０ｌｎ（Ｎ）      ・・・  式（１）’
Ｌ  ≧  Ｌｍａｘ−１０ｌｎ（Ｎ）      ・・・  式（２）’
【００９８】
ｅＮＢ２００は、重複数Ｎを仮に決定して（例えば、３と仮に決定）、各ＵＥ１００を２つのグループに分類する。ｅＮＢ２００は、複数のＵＥ１００を分類した後、各グループのＵＥ１００の数を記憶する。
【００９９】
本実施形態では、ｅＮＢ２００が、ＵＥ１００−１を第１のグループＧ１に分類し、ＵＥ１００−３を第２のグループＧ２に分類したと仮定する。さらに、ｅＮＢ２００が、第１のグループＧ１に属するＵＥ１００（すなわち、ＵＥ１００−１）に対して、冗長送信を行わず、第２のグループＧ２に属するＵＥ１００（すなわち、ＵＥ１００−３）に対して、重複送信による冗長送信を行うと決定したと仮定して説明を進める。
【０１００】
次に、ｅＮＢ２００は、仮に決定した重複数Ｎ（すなわち、３）が、例えば、以下の式（３）を満たすか否かを判定する。
【式３】
【０１０１】
2015060191.tif 000003
【０１０２】
Ｎ：重複数／ρ：マージン係数（例えば、０＜ρ＜１）／Ｒ：未割当リソースの量／Ｍ：第２のグループに属するＵＥ１００の数／ｒｉ：第２グループのｉ番目のＵＥ１００に予め割り当てられている無線リソースの量
【０１０３】
ｅＮＢ２００は、重複数Ｎが、式（３）を満たした場合、冗長送信に用いられるリソースの量が、未割当リソースの量の範囲内に収まると判定し、仮に決定した重複数Ｎを正式な重複数Ｎと決定する。一方、ｅＮＢ２００は、重複数Ｎが、式（３）を満たさない場合、重複数Ｎを変更して、式（１）及び式（２）を用いてＵＥ１００を新たなグループに分類し直した後、式（３）を満たすか否かを判定する。ｅＮＢ２００は、式（３）を満たす正式な重複数Ｎが決定するまで繰り返す。
【０１０４】
ステップＳ１０５において、ｅＮＢ２００は、決定した重複数Ｎが２以上であるか否かを判定する。ｅＮＢ２００は、重複数Ｎが２以上である場合、ステップＳ１０７の処理を実行する。一方、ｅＮＢ２００は、重複数Ｎが２未満である場合、ステップＳ１０６の処理を実行する。
【０１０５】
ステップＳ１０６において、ｅＮＢ２００は、各ＵＥ１００に割り当て済みの無線リソースである割当済みリソースの量が減少したか否かを判定する。ｅＮＢ２００は、割当済みリソースの量が減少したと判定した場合（「ＹＥＳ」の場合）、ステップＳ１０４の処理を実行する。一方、ｅＮＢ２００は、割当済みリソースの量が減少していない場合（「ＮＯ」の場合）、ステップＳ１０６の処理を繰り返す。
【０１０６】
なお、ｅＮＢ２００は、割当済みリソースの量が減少したか否かを判定するのではなく、全体の無線リソース（割当済みリソースと未割当リソースとの合計）に対する割当済みリソースの割合（割当済みリソース／全無線リソース）が減少したか否かを判定してもよい。ｅＮＢ２００は、当該割合が減少していた場合、ステップＳ１０４の処理を実行し、当該割合が減少していない場合、ステップＳ１０６の処理を繰り返してもよい。
【０１０７】
或いは、ｅＮＢ２００は、未割当リソースの量又は割合（未割当リソース／全無線リソース）が増加したか否かを判定してもよい。ｅＮＢ２００は、未割当リソースの量又は割合が増加した場合、ステップＳ１０４の処理を実行し、未割当リソースの量又は割合が増加していない場合、ステップＳ１０６の処理を繰り返してもよい。
【０１０８】
ステップＳ１０７において、ｅＮＢ２００は、冗長送信のための送信電力（値）を決定する。
【０１０９】
ｅＮＢ２００は、ＵＥ１００がユーザデータを復号可能な範囲で、できるだけ低い送信電力の値を決定することが好ましい。このため、ｅＮＢ２００は、例えば、未割当リソースの量（又は未割当リソースの量に比例する重複数Ｎ）に応じて、送信電力値を決定できる。具体的には、ｅＮＢ２００は、以下の式（４）を用いて送信電力値を算出できる。
【０１１０】
Ｔ  ＝  ηＰ／Ｎ      ・・・  式（４）
Ｔ：送信電力値／η：マージン係数（例えば、１＜η＜２）／Ｐ：通常の送信電力値／Ｎ：重複数
【０１１１】
この式（４）により、ｅＮＢ２００は、未割当リソースの量が多いほど低い送信電力値に決定し、未割当リソースの量が少ないほど高い送信電力値に決定できる。
【０１１２】
ステップＳ１０８において、ｅＮＢ２００は、未割当リソースを各ＵＥ１００に割り当てるスケジューリングを行う。本実施形態において、ｅＮＢ２００は、第２グループに属するＵＥ１００−３に対して、ユーザデータを冗長送信するために未割当リソースを割り当てる。ｅＮＢ２００は、良好なダイバーシティ効果を得るために、未割当リソースの中から、予め割り当てられた無線リソースから周波数方向及び／又は時間方向に離れた無線リソースを選択して、ＵＥ１００−３に割り当てることが好ましい。
【０１１３】
ステップＳ１０９において、ｅＮＢ２００は、冗長送信制御によって冗長送信されるユーザデータをＵＥ１００が複合受信及び／又は復号するために用いられる冗長送信情報をＵＥ１００に送信する。ＵＥ１００は、冗長送信情報を受信する。
【０１１４】
冗長送信情報は、冗長送信制御の方法を示す情報及び／又は未割当リソースの中からＵＥ１００に割り当てられた無線リソースを示す情報を含む。
【０１１５】
冗長送信制御の方法を示す情報としては、例えば、以下の情報が挙げられる。
【０１１６】
・決定した冗長送信制御の方法（例えば、重複送信、誤り訂正符号及びＭＣＳ調整のいずれの冗長送信を行うのか）
・重複送信を行う場合に、送信する回数
・誤り訂正送信スキーム（１回掛け／重ね掛けなどの誤り訂正符号の掛け方）
・誤り訂正符号方式（符号化率、符号化方式（ターボ符号、その他の符号などの誤り訂正符号の種類））
・ＭＣＳ調整を行う場合に、ＭＣＳに対応付けられた値を示すＭＣＳ情報
【０１１７】
また、無線リソースを示す情報としては、例えば、割り当てられた無線リソースの位置（サブフレーム番号、リソースブロックの番号など）を示す情報が挙げられる。
【０１１８】
なお、冗長送信情報は、送信電力値を示す送信電力情報を含んでもよい。
【０１１９】
ｅＮＢ２００は、冗長送信情報をブロードキャスト又はユニキャストでＵＥ１００に送信できる。例えば、ｅＮＢ２００は、ＭＣＳ情報などの冗長送信情報を含む制御情報（ＤＣＩ：Ｄｏｗｎｌｉｎｋ  Ｃｏｎｔｒｏｌ  Ｉｎｆｏｒｍａｔｉｏｎ）をＵＥ１００個別に送信する。或いは、ｅＮＢ２００は、ＭＩＢ（Ｍａｓｔｅｒ  Ｉｎｆｏｒｍａｔｉｏｎ  Ｂｌｏｃｋ）又はＳＩＢ（Ｓｙｓｔｅｍ  Ｉｎｆｏｒｍａｔｉｏｎ  Ｂｌｏｃｋ）に冗長送信情報を含めてブロードキャストで報知し、冗長送信制御の対象のＵＥ１００であることを示す情報を個別のＵＥ１００に送信してもよい。
【０１２０】
ステップＳ１１０において、ＵＥ１００は、冗長送信情報への応答をｅＮＢ２００に送信する。ｅＮＢ２００は、当該応答を受信する。
【０１２１】
ＵＥ１００は、冗長送信情報を受信できた場合、肯定応答（Ａｃｋ）をｅＮＢ２００に送信し、冗長送信情報を正しく受信できなかった場合、否定応答（Ｎａｃｋ）をｅＮＢ２００に送信する。
【０１２２】
また、冗長送信情報を受信したＵＥ１００は、冗長送信情報に基づいて、通常の送信電力よりも低い送信電力で送信されるユーザデータを受信するため制御を行う。
【０１２３】
ステップＳ１１１において、ｅＮＢ２００は、冗長送信制御の対象となる全てのＵＥ１００から肯定応答（Ａｃｋ）を受信したか否かを判定する。ｅＮＢ２００は、冗長送信制御の対象となる全てのＵＥ１００（対象ＵＥ１００）から肯定応答を受信した場合（「ＹＥＳ」の場合）、ステップＳ１１３の処理を実行する。一方、ｅＮＢ２００は、対象ＵＥ１００から当該肯定応答を受信していない場合、ステップＳ１１２の処理を実行する。
【０１２４】
ステップＳ１１２において、ｅＮＢ２００は、ｅＮＢ２００がＡｃｋを受信していないＵＥ１００に冗長送信情報を再送する。すなわち、ｅＮＢ２００は、ｅＮＢ２００がＮａｃｋを受信したＵＥ１００及びｅＮＢ２００が回答を受信できなかったＵＥ１００に冗長送信情報を再送する。
【０１２５】
ステップＳ１１３において、ｅＮＢ２００は、通常の送信電力でユーザデータを送信する代わりに、ユーザデータを各ＵＥ１００に低送信電力で送信する。各ＵＥ１００は、ユーザデータを受信する。
【０１２６】
具体的には、ｅＮＢ２００は、第１のグループに属するＵＥ１００−１に対して、通常の量の無線リソースを用いてユーザデータを低送信電力で送信する。すなわち、ｅＮＢ２００は、セルの中心側に位置し、パスロスが少ないＵＥ１００に対して、ユーザデータを低送信電力で送信する。一方、ｅＮＢ２００は、セルの端部に位置し、パスロスが多いＵＥ１００に対して、ユーザデータを低送信電力で冗長送信する。
【０１２７】
ＵＥ１００−１は、低送信電力で送信されたユーザデータを複合受信及び復号する。一方、ＵＥ１００−３は、低送信電力で冗長送信されたユーザデータを、冗長送信情報を用いて、複合受信及び復号する。
【０１２８】
一方、ＵＥ１００−１及びＵＥ１００−３のそれぞれは、通常の送信電力でｅＮＢ２００へ所定のデータを送信する。
【０１２９】
その後、ｅＮＢ２００は、セルとの接続を開始するＵＥ１００の数及び／又はｅＮＢ２００との通信を終了するＵＥ１００の数が閾値を超えた場合に、低送信電力の値及び／又は冗長送信制御の方法を新たに決定する制御を行う。すなわち、ｅＮＢ２００は、パスロスに基づいて分類されたグループを新たに分類し直した方がよいと判定した場合、ステップＳ１０１の処理を新たに開始する。或いは、ｅＮＢ２００は、所定の時間帯（例えば、深夜）である場合又はｅＮＢ２００との接続を確立するＵＥ１００の数が閾値を超えている場合、ステップＳ１０１の処理を省略し、ステップＳ１０２の処理を新たに開始してもよい。
【０１３０】
（第１実施形態の変更例１）
次に、第１実施形態の変更例１に係る移動通信システムについて、図８を用いて説明する。図８は、本実施形態の変更例１に係るｅＮＢ２００の動作の一例を説明するための説明図である。なお、上述した実施形態と異なる部分を中心に説明し、同様の部分は、説明を適宜省略する。
【０１３１】
上述した実施形態では、通常の送信電力は、予め固定された送信電力であったが、本変更例では、通常の送信電力は、パスロスを考慮して設定された送信電力である。
【０１３２】
図８に示すように、ステップＳ２０１において、ステップＳ１０３と同様に、ｅＮＢ２００は、ｅＮＢ２００からＵＥ１００へのパスロスを推定する。
【０１３３】
ステップＳ２０２において、ｅＮＢ２００は、最大パスロスに対応する送信電力を通常の送信電力として設定する。具体的には、ｅＮＢ２００は、ステップＳ２０１において推定した各ＵＥ１００のパスロスのうち最大パスロスを有するＵＥ１００が、ｅＮＢ２００からの情報を受信可能な送信電力に設定する。
【０１３４】
ステップＳ２０３からＳ２１４は、第１実施形態のステップＳ１０１、Ｓ１０３からＳ１１３に対応する。
【０１３５】
（第１実施形態の変更例２）
次に、第１実施形態の変更例２に係る移動通信システムについて、説明する。なお、上述した実施形態及び変更例１と異なる部分を中心に説明し、同様の部分は、説明を適宜省略する。
【０１３６】
本変更例では、ｅＮＢ２００が、ユーザデータだけでなく、ｅＮＢ２００からの参照信号（ＣＲＳ、ＣＳＩ−ＲＳなど）も低送信電力で送信するケースを説明する。
【０１３７】
例えば、ｅＮＢ２００は、通信を行うＵＥ１００の数が減少する深夜などの所定の時間帯に、参照信号を低送信電力（第３の送信電力）で送信すると決定する。参照信号の送信電力の値は、ユーザデータを送信する低送信電力と同じであってもよいし、異なっていてもよい。ｅＮＢ２００は、参照信号を低送信電力で送信する旨をブロードキャストで報知する。その際に、ｅＮＢ２００は、参照信号を低送信電力で送信するために用いる無線リソースの情報及び／又は送信電力値を示す送信電力情報を報知してもよい。
【０１３８】
次に、ｅＮＢ２００は、下りリンクのチャネル推定のための参照信号（すなわち、ＣＱＩの測定に用いられる参照信号）を低送信電力で送信するケースを説明する。
【０１３９】
ｅＮＢ２００は、ＣＱＩの測定に用いられる参照信号を低送信電力で送信した後に、ＵＥ１００からＣＱＩの報告を受信した場合、報告されたＣＱＩが、通常の送信電力で送信された参照信号に基づいて測定されたＣＱＩか、低送信電力で送信された参照信号に基づいて測定されたＣＱＩかを記憶する。例えば、ｅＮＢ２００は、ＣＱＩの報告に含まれる測定時刻に基づいて、ＵＥ１００がＣＱＩを測定した時刻が低送信電力で参照信号を送信した時刻と一致した場合、低送信電力で送信された参照信号に基づいてＣＱＩが測定されたと判定する。ｅＮＢ２００は、判定に基づいて、測定したＵＥ１００の識別子、及び、どちらの送信電力で送信された参照信号に基づいて測定されたＣＱＩかを記録する。
【０１４０】
なお、ｅＮＢ２００は、ＣＱＩの報告とともに、低送信電力で送信された参照信号に基づいてＣＱＩが測定されたことを示す情報をＵＥ１００から受信することによって、上記判定を行ってもよい。
【０１４１】
次に、ｅＮＢ２００は、低送信電力で送信された参照信号に基づいてＣＱＩを測定したＵＥ１００に対して、冗長送信するケースを説明する。
【０１４２】
ｅＮＢ２００は、低送信電力で送信された参照信号に基づくＣＱＩをＵＥ１００から受信した場合、ＣＱＩとともに、当該低送信電力に基づいて、冗長送信制御のためのＭＣＳを決定する。
【０１４３】
例えば、ｅＮＢ２００は、重複送信又は誤り訂正符号による冗長送信を行う場合では、通常の送信電力で送信された参照信号に基づくＣＱＩから算出されたＥ−ＳＩＮＲに応じてＭＣＳに対応付けられた値を決定し、ＭＣＳを決定する。一方、ｅＮＢ２００は、低送信電力で送信された参照信号に基づくＣＱＩから算出されたＥ−ＳＩＮＲによってＭＣＳを決定する場合、算出されたＥ−ＳＩＮＲに、当該Ｅ−ＳＩＮＲが良好になる補正値（例えば、＋３ｄＢ）を加えることによって算出されたＥ−ＳＩＮＲに応じて、ＭＣＳに対応付けられた値を決定し、ＭＣＳを決定する。
【０１４４】
また、ｅＮＢ２００は、ＭＣＳの調整による冗長送信を行う場合では、上述の第１実施形態で説明したように、通常の送信電力で送信された参照信号に基づくＣＱＩから算出されたＥ−ＳＩＮＲに補正値（例えば、−３ｄＢ）を加えることによって算出されたＥ−ＳＩＮＲに応じてＭＣＳに対応付けられた値を決定し、ＭＣＳを決定する。一方、ｅＮＢ２００は、低送信電力で送信された参照信号に基づくＣＱＩから算出されたＥ−ＳＩＮＲによってＭＣＳを決定する場合、ＣＱＩから算出されたＥ−ＳＩＮＲに応じて、ＭＣＳに対応付けられた値を決定し、ＭＣＳを決定する。すなわち、ｅＮＢ２００は、算出されたＥ−ＳＩＮＲに補正値を加えることなくＭＣＳを決定する。
【０１４５】
このように、ｅＮＢ２００は、報告されたＣＱＩとともに、参照信号の送信電力に基づいて、ＭＣＳを決定できる。
【０１４６】
（第１実施形態のまとめ）
本実施形態において、ｅＮＢ２００は、未割当リソースの量又は割合が閾値を超えている場合、ユーザデータを通常の送信電力で送信する代わりに低送信電力で、未割当リソースを用いてユーザデータを冗長送信する冗長送信制御を行う。これにより、ｅＮＢ２００は、低送信電力でユーザデータを送信するため、ｅＮＢ２００の省電力化を図ることができる。さらに、ｅＮＢ２００は、未割当リソースを用いてユーザデータを冗長送信するため、送信電力が低下しても、ＵＥ１００は、ユーザデータを受信及び復号することが可能である。従って、通信品質の低下を抑制しつつ、ｅＮＢ２００の省電力化を実現可能である。
【０１４７】
さらに、低送信電力でユーザデータを送信するため、ｅＮＢ２００が与える干渉を低減することができる。例えば、ｅＮＢ２００が、ｅＮＢ２００に隣接する隣接ｅＮＢ２００が管理するセル内のＵＥ１００に与える干渉を低減することができる。
【０１４８】
本実施形態において、ｅＮＢ２００は、未割当リソースの量に応じて、低送信電力の値を決定する。これにより、ｅＮＢ２００は、未割当リソースの量に応じて、低送信電力の値を調整できるため、状況に応じて冗長送信制御を柔軟に行うことが可能である。
【０１４９】
本実施形態において、ｅＮＢ２００は、冗長送信制御として、ユーザデータを重複して送信する制御、又は、誤り訂正符号を用いて、通常の送信電力で送信されるユーザデータよりも冗長度を上げたユーザデータを送信する制御を行う。これにより、ｅＮＢ２００は、冗長送信制御を行うことができるため、通信品質の低下を抑制しつつ、ｅＮＢ２００の省電力化を実現可能である。
【０１５０】
本実施形態において、ｅＮＢ２００は、冗長送信を開始する前に、冗長送信制御によって冗長送信されるユーザデータをＵＥ１００が復号するために用いられる冗長送信情報を、ＵＥ１００に送信する制御を行う。また、本実施形態において、冗長送信情報は、冗長送信制御の方法を示す情報及び／又は未割り当てリソースの中からＵＥ１００に割り当てられた無線リソースを示す情報を含む。これにより、ＵＥ１００は、低送信電力で送信されたユーザデータであっても、冗長送信情報に基づいて、複合受信及び／又は復号することが可能であるため、通信品質の低下を抑制できる。
【０１５１】
本実施形態において、下りリンクのチャネル推定のための参照信号を、冗長送信制御を行っていない場合の送信電力よりも低い低送信電力で送信する。ｅＮＢ２００は、低送信電力で送信された参照信号に基づくＣＱＩをＵＥ１００から受信した場合、ＣＱＩとともに、低送信電力に基づいて、冗長送信制御のためのＭＣＳを決定する。これにより、ｅＮＢ２００が参照信号を低送信電力で送信するため、さらにｅＮＢ２００の省電力化を図ることができる。ｅＮＢ２００は、参照信号が低送信電力で送信されたことを考慮して、ＭＣＳを決定するため、ｅＮＢ２００の省電力化を図りつつも、通信品質の低下を抑制できる。
【０１５２】
本実施形態において、ｅＮＢ２００は、複数のＵＥ１００がセルと接続する場合、ｅＮＢ２００から複数のＵＥ１００のそれぞれへの各パスロスに応じて、複数のＵＥ１００を複数のグループに分ける。ｅＮＢ２００は、複数のグループのそれぞれにおける低送信電力の値及び／又は冗長送信制御の方法を決定する。これにより、ｅＮＢ２００は、個々のＵＥ１００に対して、低送信電力の値及び／又は冗長送信制御の方法を決定せずに済むため、冗長送信制御ための計算量を低減させることができる。その結果、ｅＮＢ２００の省電力を図ることができる。
【０１５３】
本実施形態において、ｅＮＢ２００は、セルとの接続を開始するＵＥ１００の数及び／又はｅＮＢ２００との通信を終了するＵＥ１００の数が閾値を超えた場合に、低送信電力の値及び／又は冗長送信制御の方法を新たに決定する。これにより、グループを構成するＵＥ１００の状況の変化に応じて、低送信電力の値及び／又は冗長送信制御の方法が決定されるため、通信品質の低下を適切に抑制しつつ、ｅＮＢ２００の省電力化を実現可能である。
【０１５４】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１５５】
例えば、上述した実施形態では、ｅＮＢ２００が冗長送信制御を行うか否かの判定を行っていたが、これに限られない。例えば、ｅＮＢ２００の上位装置（ＭＭＥなど）が冗長送信制御を行うか否かの判定を行ってもよい。ｅＮＢ２００は、上位装置からの指示に従って、低送信電力でユーザデータを冗長送信する。また、上位装置は、冗長送信制御のための指示（例えば、冗長送信制御の方法、冗長送信制御の対象となるＵＥ１００、低送信電力の値などの指示）をｅＮＢ２００に行ってもよい。
【０１５６】
例えば、大セルを管理する大セルｅＮＢ２００が、小セルを管理し、大セル内に位置する小セルｅＮＢ２００（例えば、制御プレーンを有さないｅＮＢ２００）に対して、冗長送信制御のための指示を通知してもよい。小セルｅＮＢ２００は、通知を受けた指示に基づいて、低送信電力でユーザデータを配下のＵＥ１００に送信する。この場合に、大セルｅＮＢ２００は、小セルｅＮＢ２００の冗長送信情報を、小セルｅＮＢ２００の配下のＵＥ１００に送信してもよい。
【０１５７】
また、上述した実施形態では、ｅＮＢ２００は、所定情報としてユーザデータを低送信電力で冗長送信していたが、これに限られない。例えば、ｅＮＢ２００は、制御情報をＳＩＢに含めて、低送信電力で冗長送信してもよい。また、ｅＮＢ２００は、ＰＤＣＣＨを用いて送信するＵＥ１００への制御情報を低送信電力で冗長送信してもよい。この場合、ｅＮＢ２００は、ＣＣＥ（Ｃｏｎｔｒｏｌ  Ｃｈａｎｎｅｌ  Ｅｌｅｍｅｎｔ）数に相当するアグリゲーションレベル（Ａｇｇｒｅｇａｔｉｏｎ  Ｌｅｖｅｌ）を上げることによって、制御情報を冗長送信してもよい。
【０１５８】
また、上述した実施形態において、ｅＮＢ２００は、未割当リソースの量に応じて、送信電力値（第２の送信電力の値）を決定していたが、これに限られない。例えば、ｅＮＢ２００は、パスロスに応じて、送信電力値を決定してもよい。具体的には、ｅＮＢ２００は、パスロスが小さいほど低い送信電力値に決定し、パスロスが大きいほど高い送信電力値に決定してもよい。
【０１５９】
また、上述した実施形態において、冗長送信制御の方法の決定（ステップＳ１０３）、重複数Ｎの決定（ステップＳ１０４からＳ１０６）、及び送信電力の決定（ステップＳ１０７）などの順番は、適宜変更可能である。例えば、ｅＮＢ２００は、重複数Ｎの決定及び送信電力の決定を行った後に、冗長送信制御の方法を決定してもよい。また、ｅＮＢ２００は、ｅＮＢ２００の能力などにより、すでに決定されている項目（例えば、低送信電力の値、冗長送信制御の方法など）に関する処理（ステップＳ１０３、ステップＳ１０７など）を省略できる。ｅＮＢ２００は、すでに決定されている項目に関する冗長送信情報を、冗長送信制御を行うことが決定される前に、予めブロードキャストで報知していてもよい。
【０１６０】
また、上述した実施形態では、冗長送信制御の方法の決定方法について、特に制限されていなかったが、例えば、ｅＮＢ２００は、原則として、ＭＣＳの調整による冗長送信を行い、所定の条件（後述のステップＳ３０１及びＳ３０２参照）を満たす場合に、他の冗長送信制御の方法を用いて、冗長送信を行ってもよい。以下に、具体的な方法を、図９を用いて説明する。図９は、その他実施形態に係るｅＮＢ２００の動作の一例を説明するための説明図である。
【０１６１】
まず、ｅＮＢ２００は、ユーザデータの冗長送信制御を行うと決定した後、冗長送信制御の対象となるＵＥ１００に未割当リソースを割り当てる。
【０１６２】
次に、図９に示すように、ステップＳ３０１及びＳ３０２において、ｅＮＢ２００は、ＵＥ１００に予め割り当てられた無線リソースと、未割当リソースのうちＵＥ１００に割り当てられた無線リソースとが、複数のサブフレームにあるＵＥ１００が存在するか否かを判定する。
【０１６３】
ｅＮＢ２００は、該当ＵＥ１００が存在しない場合（「ＮＯ」の場合）、ステップＳ３０３の処理を実行する。すなわち、ｅＮＢ２００は、ＵＥ１００に割り当てられた無線リソース（予め割り当てられた無線リソース及び未割当リソースの中から割り当てられた無線リソース）が１つのサブフレーム内に位置する場合、ステップＳ３０３の処理を実行する。一方、ｅＮＢ２００は、該当ＵＥ１００が存在する場合（「ＹＥＳ」の場合）、ステップＳ３０４の処理を実行する。すなわち、ｅＮＢ２００は、ＵＥ１００に割り当てられた無線リソースが複数のサブフレームに存在する場合、ステップＳ３０４の処理を実行する。
【０１６４】
ステップＳ３０３において、ｅＮＢ２００は、ＭＣＳの調整による冗長送信制御を行うことを決定する。ｅＮＢ２００は、ＭＣＳの調整により冗長送信制御を行うことを示す冗長制御情報ＭＩＢ又はＳＩＢに含めてブロードキャストで送信する。
【０１６５】
一方、ステップＳ３０４において、ｅＮＢ２００は、他の方法により、冗長送信制御を行うことを決定する。ｅＮＢ２００は、例えば、重複送信による冗長送信を行うと決定し、決定された冗長送信制御を示す冗長制御情報ＭＩＢ又はＳＩＢに含めてブロードキャストで送信する。
【０１６６】
その後、ｅＮＢ２００は、ステップＳ３０３又はステップＳ３０４において決定された冗長送信方法によって、ＵＥ１００に所定情報を送信する。
【０１６７】
なお、ステップＳ３０３の処理を実行したｅＮＢ２００は、冗長送信制御として、ＭＣＳに対応付けられた値を低下させて所定情報を送信する制御を行う。ｅＮＢ２００は、１つのサブフレームに割り当てられた無線リソースが位置する場合、当該サブフレームのＭＣＳに対応する値を、既存の制御情報（ＤＣＩ）を用いてＵＥ１００に通知することができるため、追加の制御情報をＵＥ１００に送信する必要がない。このため、ｅＮＢ２００は、追加の制御情報の送信を省略できるため、使用する無線リソースを低減できる。
【０１６８】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１６９】
なお、日本国特許出願第２０１３−２１８４２３号（２０１３年１０月２１日出願）の全内容が、参照により、本願明細書に組み込まれている。
【産業上の利用可能性】
【０１７０】
本発明に係る基地局によれば、通信品質の低下を抑制しつつ、基地局の省電力化を実現可能にする。【０１７１】
［付記１］
セルを管理する基地局であって、
前記基地局は、前記セルと接続するユーザ端末に所定情報を第１の送信電力で送信する制御が可能であって、
前記基地局は、前記所定情報の送信に用いることが可能な無線リソースであってまだ端末に割り当てられていない未割当リソースの量又は割合が閾値を超えている場合、前記第１の送信電力よりも低い第２の送信電力で、前記未割当リソースを用いて前記所定情報を冗長送信する冗長送信制御を行い、
前記所定情報は、制御情報又はユーザデータであることを特徴とする基地局。
［付記２］
前記未割当リソースの量に応じて、前記第２の送信電力の値を決定することを特徴とする請求項１に記載の基地局。
［付記３］
前記冗長送信制御は、前記所定情報を重複して送信することか、誤り訂正符号を用いて、前記第１の送信電力で送信される前記所定情報よりも冗長度を上げた前記所定情報を送信することか、又はＭＣＳに対応付けられた値を低下させて前記所定情報を送信することであることを特徴とする請求項１に記載の基地局。
［付記４］
前記所定情報の送信のために前記ユーザ端末に予め割り当てられた無線リソースと、前記未割当リソースのうち前記ユーザ端末に割り当てられた無線リソースとが１つのサブフレーム内に位置する場合、前記冗長送信制御として、ＭＣＳに対応付けられた値を低下させて前記所定情報を送信することを特徴とする請求項１に記載の基地局。
［付記５］
前記冗長送信を開始する前に、前記冗長送信される前記所定情報を前記ユーザ端末が受信及び／又は復号するために用いられる冗長送信情報を、前記ユーザ端末に送信することを特徴とする請求項１に記載の基地局。
［付記６］
前記冗長送信情報は、前記冗長送信制御の方法を示す情報及び／又は前記未割当リソースの中から前記ユーザ端末に割り当てられた無線リソースを示す情報を含むことを特徴とする請求項５に記載の基地局。
［付記７］
下りリンクのチャネル推定のための参照信号を、前記冗長送信制御を行っていない場合の送信電力よりも低い第３の送信電力で送信し、
前記第３の送信電力で送信された前記参照信号に基づくチャンネル品質情報を前記ユーザ端末から受信した場合、前記チャンネル品質情報とともに、前記第３の送信電力に基づいて、前記冗長送信制御のためのＭＣＳを決定することを特徴とする請求項１に記載の基地局。
［付記８］
前記ユーザ端末を含む複数のユーザ端末が前記セルと接続する場合、前記基地局から前記複数のユーザ端末のそれぞれへの各パスロスに応じて、前記複数のユーザ端末を複数のグループに分け、
前記複数のグループのそれぞれにおける前記第２の送信電力の値及び／又は前記冗長送信制御の方法を決定することを特徴とする請求項１に記載の基地局。
［付記９］
前記セルとの接続を開始するユーザ端末の数及び／又は前記基地局との通信を終了するユーザ端末の数が閾値を超えた場合に、前記第２の送信電力の値及び／又は前記冗長送信制御の方法を新たに決定することを特徴とする請求項８に記載の基地局。
［付記１０］
セルを管理する基地局に備えられるプロセッサであって、
前記プロセッサは、前記セルと接続するユーザ端末に制御情報又はユーザデータである所定情報を第１の送信電力で送信する制御が可能であって、
前記所定情報の送信に用いることが可能な無線リソースである未割当リソースの量又は割合が閾値を超えている場合、前記第１の送信電力よりも低い第２の送信電力で、前記未割当リソースを用いて前記所定情報を冗長送信する冗長送信制御を行うことを特徴とするプロセッサ。
［付記１１］
基地局が管理するセルに接続する端末であって、
前記基地局から送信された冗長送信情報を受信し、
当該受信した冗長送信情報に基づいて、前記基地局から冗長送信される所定情報を受信する端末。
【図１】
2015060191.tif 000004
【図２】
2015060191.tif 000005
【図３】
2015060191.tif 000006
【図４】
2015060191.tif 000007
【図５】
2015060191.tif 000008
【図６】
2015060191.tif 000009
【図７】
2015060191.tif 000010
【図８】
2015060191.tif 000011
【図９】
2015060191.tif 000012
【国際調査報告】
2015060191.tif 000013
2015060191.tif 000014
2015060191.tif 000015